(57)【特許請求の範囲】
【請求項１】
水を濾過するためのフィルターエレメントを有する浄水装置を含む浄水システムであって、
前記浄水システムは、
前記フィルターエレメントに配置され、前記フィルターエレメントに識別子を付けるためのフィルターエレメント識別子装置と、
前記フィルターエレメント識別子装置における識別子情報を読み取るためのフィルターエレメント識別装置と、
前記フィルターエレメント識別装置により読み取れた識別子情報をメーカーデータ管理センターに送信すると共に、前記メーカーデータ管理センターから返した前記識別子情報に対する認証結果を受信するための遠隔操作インターフェースと、
をさらに含み、
前記認証結果に基づいて前記フィルターエレメントを処理し、
前記認証結果に基づいて前記フィルターエレメントを処理するステップは、
前記認証結果が前記フィルターエレメントが間違っていないことであると、前記フィルターエレメントによって濾過された後の水の水質情報を取得して前記メーカーデータ管理センターに伝送するステップと、
前記メーカーデータ管理センターが前記水質情報及び前記識別子情報に含まれた技術パラメーターに基づいて確定して返した前記フィルターエレメントの残り使用寿命情報を受信するステップと
を含むことを特徴とする浄水システム。
【請求項２】
前記認証結果に基づいて前記フィルターエレメントを処理するステップは、
前記フィルターエレメントの残り使用寿命情報を表示するステップ
をさらに含むことを特徴とする請求項１に記載の浄水システム。
【請求項３】
水を濾過するためのフィルターエレメントを有する浄水装置を含む浄水システムであって、
前記浄水システムは、
前記フィルターエレメントに配置され、前記フィルターエレメントに識別子を付けるためのフィルターエレメント識別子装置と、
前記フィルターエレメント識別子装置における識別子情報を読み取るためのフィルターエレメント識別装置と、
前記フィルターエレメント識別装置により読み取れた識別子情報をメーカーデータ管理センターに送信すると共に、前記メーカーデータ管理センターから返した前記識別子情報に対する認証結果を受信するための遠隔操作インターフェースと、
をさらに含み、
前記認証結果に基づいて前記フィルターエレメントを処理し、
前記認証結果に基づいて前記フィルターエレメントを処理するステップは、
前記認証結果が前記フィルターエレメントが間違っていないことであると、前記フィルターエレメントによって濾過された後の水の水質情報を取得して前記メーカーデータ管理センターに伝送するステップと、
前記メーカーデータ管理センターが前記水質情報に基づいて判断して返した、前記フィルターエレメントを取り替える必要があるか否かの判断結果を、受信するステップと、
前記判断結果が前記フィルターエレメントを取り替える必要があることであると、ユーザーに前記フィルターエレメントを取り替えるようにリマインドするステップと
を含むことを特徴とする浄水システム。
【請求項４】
水を濾過するためのフィルターエレメントを有する浄水装置を含む浄水システムであって、
前記浄水システムは、
前記フィルターエレメントに配置され、前記フィルターエレメントに識別子を付けるためのフィルターエレメント識別子装置と、
前記フィルターエレメント識別子装置における識別子情報を読み取るためのフィルターエレメント識別装置と、
前記フィルターエレメント識別装置により読み取れた識別子情報をメーカーデータ管理センターに送信すると共に、前記メーカーデータ管理センターから返した前記識別子情報に対する認証結果を受信するための遠隔操作インターフェースと、
をさらに含み、
前記認証結果に基づいて前記フィルターエレメントを処理し、
前記認証結果に基づいて前記フィルターエレメントを処理するステップは、
前記認証結果が前記フィルターエレメントが間違っていることであると、ユーザーが前記フィルターエレメントを取り替えるようにリマインドするステップ
を含むことを特徴とする浄水システム。
【請求項５】
水を濾過するためのフィルターエレメントを有する浄水装置を含む浄水システムであって、
前記浄水システムは、
前記フィルターエレメントに配置され、前記フィルターエレメントに識別子を付けるためのフィルターエレメント識別子装置と、
前記フィルターエレメント識別子装置における識別子情報を読み取るためのフィルターエレメント識別装置と、
前記フィルターエレメント識別装置により読み取れた識別子情報をメーカーデータ管理センターに送信すると共に、前記メーカーデータ管理センターから返した前記識別子情報に対する認証結果を受信するための遠隔操作インターフェースと、
をさらに含み、
前記認証結果に基づいて前記フィルターエレメントを処理し、
前記認証結果に基づいて前記フィルターエレメントを処理するステップは、
前記認証結果がフィルターエレメントが装着されていないことであると、ユーザーが前記フィルターエレメントの位置を調整するか、或いは、フィルターエレメントを装着するように、リマインドするステップ
を含むことを特徴とする浄水システム。
【請求項６】
前記浄水システムは、
前記フィルターエレメントによって濾過された後の水の特性を検出する水特性検出装置と、
前記水特性検出装置及び前記遠隔操作インターフェースに接続され、前記水特性検出装置の出力情報を保存して処理するための制御装置と
をさらに含むことを特徴とする請求項１乃至５のいずれか一項に記載の浄水システム。
【請求項７】
前記浄水システムは、
前記制御装置に接続され、前記フィルターエレメントの使用状態を表示するための表示装置
をさらに含むことを特徴とする請求項６に記載の浄水システム。
【請求項８】
前記浄水システムは、
前記浄水装置に接続された中継装置
をさらに含むことを特徴とする請求項１乃至７のいずれか一項に記載の浄水システム。
【請求項９】
前記フィルターエレメント識別装置は、前記浄水装置、或いは、前記中継装置に配置されている
ことを特徴とする請求項８に記載の浄水システム。
【請求項１０】
前記遠隔操作インターフェースは、前記浄水装置、或いは、前記中継装置に配置されている
ことを特徴とする請求項８に記載の浄水システム。
【請求項１１】
前記制御装置は、前記浄水装置、或いは、前記中継装置に配置されている
ことを特徴とする請求項８に記載の浄水システム。
【請求項１２】
前記表示装置は、前記浄水装置、或いは、前記中継装置に配置されている
ことを特徴とする請求項７に記載の浄水システム。
【請求項１３】
前記中継装置は、前記浄水装置の内部に配置されている
ことを特徴とする請求項８に記載の浄水システム。
【請求項１４】
請求項１乃至７及び請求項９乃至１３のいずれか一項に記載の浄水システムによるフィルターエレメントの制御方法であって、
浄水装置のフィルターエレメントの識別子情報を取得するステップと、
前記識別子情報を前記浄水装置のメーカーデータ管理センターに伝送するステップと、
前記メーカーデータ管理センターから返した前記識別子情報に対する認証結果を受信するステップと、
前記認証結果に基づいて前記フィルターエレメントを処理するステップと
を含み、
前記認証結果に基づいて前記フィルターエレメントを処理するステップは、
前記認証結果が前記フィルターエレメントが間違っていないことであると、前記フィルターエレメントによって濾過された後の水の水質情報を取得して前記メーカーデータ管理センターに伝送するステップと、
前記メーカーデータ管理センターが前記水質情報及び前記識別子情報に含まれた技術パラメーターに基づいて確定して返した前記フィルターエレメントの残り使用寿命情報を受信するステップと
を含むことを特徴とするフィルターエレメントの制御方法。
【請求項１５】
前記認証結果に基づいて前記フィルターエレメントを処理するステップは、
前記フィルターエレメントの残り使用寿命情報を表示するステップ
をさらに含むことを特徴とする請求項１４に記載のフィルターエレメントの制御方法。
【請求項１６】
請求項１乃至７及び請求項９乃至１３のいずれか一項に記載の浄水システムによるフィルターエレメントの制御方法であって、
浄水装置のフィルターエレメントの識別子情報を取得するステップと、
前記識別子情報を前記浄水装置のメーカーデータ管理センターに伝送するステップと、
前記メーカーデータ管理センターから返した前記識別子情報に対する認証結果を受信するステップと、
前記認証結果に基づいて前記フィルターエレメントを処理するステップと
を含み、
前記認証結果に基づいて前記フィルターエレメントを処理するステップは、
前記認証結果が前記フィルターエレメントが間違っていないことであると、前記フィルターエレメントによって濾過された後の水の水質情報を取得して前記メーカーデータ管理センターに伝送するステップと、
前記メーカーデータ管理センターが前記水質情報に基づいて判断して返した、前記フィルターエレメントを取り替える必要があるか否かの判断結果を、受信するステップと、
前記判断結果が前記フィルターエレメントを取り替える必要があることであると、ユーザーに前記フィルターエレメントを取り替えるようにリマインドするステップと
を含むことを特徴とするフィルターエレメントの制御方法。
【請求項１７】
請求項１乃至７及び請求項９乃至１３のいずれか一項に記載の浄水システムによるフィルターエレメントの制御方法であって、
浄水装置のフィルターエレメントの識別子情報を取得するステップと、
前記識別子情報を前記浄水装置のメーカーデータ管理センターに伝送するステップと、
前記メーカーデータ管理センターから返した前記識別子情報に対する認証結果を受信するステップと、
前記認証結果に基づいて前記フィルターエレメントを処理するステップと
を含み、
前記認証結果に基づいて前記フィルターエレメントを処理するステップは、
前記認証結果が前記フィルターエレメントが間違っていることであると、ユーザーが前記フィルターエレメントを取り替えるようにリマインドするステップ
を含むことを特徴とするフィルターエレメントの制御方法。
【請求項１８】
請求項１乃至７及び請求項９乃至１３のいずれか一項に記載の浄水システムによるフィルターエレメントの制御方法であって、
浄水装置のフィルターエレメントの識別子情報を取得するステップと、
前記識別子情報を前記浄水装置のメーカーデータ管理センターに伝送するステップと、
前記メーカーデータ管理センターから返した前記識別子情報に対する認証結果を受信するステップと、
前記認証結果に基づいて前記フィルターエレメントを処理するステップと
を含み、
前記認証結果に基づいて前記フィルターエレメントを処理するステップは、
前記認証結果がフィルターエレメントが装着されていないことであると、ユーザーが前記フィルターエレメントの位置を調整するか、或いは、フィルターエレメントを装着するように、リマインドするステップ
を含むことを特徴とするフィルターエレメントの制御方法。
【発明の詳細な説明】
【技術分野】
【０００１】
本発明は、通信分野に関し、特に、浄水システム及び浄水システムによるフィルターエレメントの制御方法に関する。
【背景技術】
【０００２】
浄水器は、一定時間を使用した後に、水質が悪くなる恐れがあり、ユーザーによってフィルターエレメントを取り替える必要がある。浄水器は、フィルターエレメントをタイムリーに取り替えないと、浄水効果を果たすことができない。浄水器は、間違っているフィルターエレメント、又は、品質不良のフィルターエレメントを使用した場合にも、浄水効果を果たすことができない。
【０００３】
関連技術においては、ユーザーにリマインドすることにより、フィルターエレメントをタイムリーに取り替えなくなることを避けるために、浄水器にフィルターエレメントの寿命を示す表示ウィンドウ又はインジケータライトを設置することにより、フィルターエレメントの動作時間とメーカーの仮定した時間と一致すると、ユーザーがフィルターエレメントを前もって取り替えるようにする。フィルターエレメントを正しく使うことを保証するために、ある製品では明細書のみに規定しているし、実際的には、有効の対策でフィルターエレメントの正しい使用を保証していない。
【０００４】
各地の水質の状況、ひいては同一な区域の水質も一致しないから、フィルターエレメントの実際の使用寿命と理論的な寿命とが一致しなくなるため、フィルターエレメントが実際にもう壊されていても、フィルターエレメントが良好であると示す場合も存在する。つまり、ユーザーの実際の使用データとメーカーの仮定の使用データとが同期でなくなるので、フィルターエレメントの取り替えが、早くなったり遅くなったりなる場合がある。或いは、ユーザーとメーカーとの間に有効な連絡手段が欠けているため、ユーザーが品質不良のフィルターエレメント又は間違っているフィルターエレメントを使用していても、メーカーはその状況を了解することができないため、浄水器の浄水効果がメーカーの設計要求に達することができなくなる。また、使用しているフィルターエレメントを識別できないので、浄水器上のフィルターエレメント寿命指示器はフィルターエレメントをいつ取り替えればいいかを分からなく、フィルターエレメントの取り替え周期はユーザーの経験によって判断する方法しかない。従って、浄水器の浄水品質と使用寿命に大きい影響を与える。
【発明の概要】
【０００５】
関連技術に存在する課題を解決するために、本発明は浄水システム及び浄水システムによるフィルターエレメントの制御方法を提供する。
【０００６】
本発明にかかる実施例の第１の様態によると、水を濾過するためのフィルターエレメントを有する浄水装置を含む浄水システムを提供し、前記浄水システムは、さらに、
前記フィルターエレメントに配置され、前記フィルターエレメントに識別子を付けるためのフィルターエレメント識別子装置と、
前記フィルターエレメント識別子装置における識別子情報を読み取るためのフィルターエレメント識別装置と、
前記フィルターエレメント識別装置により読み取れた識別子情報をメーカーデータ管理センターに送信するための遠隔操作インターフェースとを含む。
【０００７】
本発明の実施例が提供する技術案は、浄水装置の浄水品質と使用寿命を保証することができる。
【０００８】
以上のような浄水システムは更に以下の特徴を含む。前記浄水システムは、さらに、
前記フィルターエレメントによって濾過された後の水の特性を検出する水特性検出装置と、
前記水特性検出装置及び前記遠隔操作インターフェースに接続され、前記水特性検出装置の出力情報を保存して処理するための制御装置とを含む。
【０００９】
本発明の実施例が提供する技術案は、ユーザーが正しいフィルターエレメントを使用するように確保できるだけでなく、浄水装置によって浄化された水の水質情報を検出でき、水質情報に基づいて、フィルターエレメントを取り替える必要があるか否かを確定し、ユーザーにフィルターエレメントをタイムリーに取り替えるように促し、浄水装置の浄水品質と使用寿命を保証する。
【００１０】
以上のような浄水システムは更に以下の特徴を含む。前記浄水システムは、さらに、
前記制御装置に接続され、前記フィルターエレメントの使用状態を表示するための表示装置を含む。
【００１１】
本発明の実施例が提供する技術案は、ユーザーが正しいフィルターエレメントを使用するように確保でき、浄水装置によって浄化された水の水質情報を検出でき、水質情報に基づいて、フィルターエレメントを取り替える必要があるか否かを確定し、フィルターエレメントの使用状態情報をユーザーに直観的に展示し、ユーザーにフィルターエレメントをタイムリーに取り替えるように促し、浄水装置の浄水品質と使用寿命を保証する。
【００１２】
以上のような浄水システムは更に以下の特徴を含む。前記浄水システムは、さらに、
前記浄水装置に接続される中継装置を含む。
【００１３】
本発明の実施例が提供する技術案は、浄水装置の浄水品質と使用寿命を保証することができる。
【００１４】
以上のような浄水システムは更に以下の特徴を含む。前記フィルターエレメント識別装置は、前記浄水装置、或いは、前記中継装置に配置されている。
【００１５】
本発明の実施例が提供する技術案は、浄水装置の浄水品質と使用寿命を保証することができる。
【００１６】
以上のような浄水システムは更に以下の特徴を含む。前記遠隔操作インターフェースは前記浄水装置、或いは、前記中継装置に配置されている。
【００１７】
本発明の実施例が提供する技術案は、浄水装置の浄水品質と使用寿命を保証することができる。
【００１８】
以上のような浄水システムは更に以下の特徴を含む。前記制御装置は前記浄水装置、或いは、前記中継装置に配置されている。
【００１９】
本発明の実施例が提供する技術案は、浄水装置の浄水品質と使用寿命を保証することができる。
【００２０】
以上のような浄水システムは更に以下の特徴を含む。前記表示装置は前記浄水装置、或いは、前記中継装置に配置されている。
【００２１】
本発明の実施例が提供する技術案は、浄水装置の浄水品質と使用寿命を保証することができる。
【００２２】
以上のような浄水システムは更に以下の特徴を含む。前記中継装置は前記浄水装置の内部に配置されている。
【００２３】
本発明の実施例が提供する技術案は、浄水装置の浄水品質と使用寿命を保証することができる。
【００２４】
本発明にかかる実施例の第２の様態によると、浄水システムのフィルターエレメントの制御方法を提供し、浄水装置のフィルターエレメントの識別子情報を取得するステップと、
前記識別子情報を前記浄水装置のメーカーデータ管理センターに伝送するステップと、
前記メーカーデータ管理センターから返した前記識別子情報に対する認証結果を受信するステップと、
前記認証結果に基づいて前記フィルターエレメントを処理するステップとを含むことを特徴とする。
【００２５】
本発明の実施例が提供する技術案は、ユーザーが正しいフィルターエレメントを使用するように確保でき、ユーザーにフィルターエレメントをタイムリーに取り替えるようにリマインドして、浄水装置の浄水品質と使用寿命を保証する。
【００２６】
以上のようなフィルターエレメントの制御方法は更に以下の特徴を含む。前記認証結果に基づいて前記フィルターエレメントを処理するステップは、
前記認証結果が前記フィルターエレメントが間違っていないことであると、前記フィルターエレメントによって濾過された後の水の水質情報を取得して前記メーカーデータ管理センターに伝送するステップと、
前記メーカーデータ管理センターが前記水質情報及び前記識別子情報に含まれた技術パラメーターに基づいて確定して返した前記フィルターエレメントの残り使用寿命情報を受信するステップとを含む。
【００２７】
本発明の実施例が提供する技術案は、ユーザーが正しいフィルターエレメントを使用するように確保でき、ユーザーにフィルターエレメントをタイムリーに取り替えるようにリマインドして、浄水装置の浄水品質と使用寿命を保証する。
【００２８】
以上のようなフィルターエレメントの制御方法は更に以下の特徴を含む。前記認証結果に基づいて前記フィルターエレメントを処理するステップは、さらに、
前記フィルターエレメントの残り使用寿命情報を表示するステップを含む。
【００２９】
以上のようなフィルターエレメントの制御方法は更に以下の特徴を含む。前記認証結果に基づいて前記フィルターエレメントを処理するステップは、
前記認証結果が前記フィルターエレメントが間違っていないことであると、前記フィルターエレメントによって濾過された後の水の水質情報を取得して前記メーカーデータ管理センターに伝送するステップと、
前記メーカーデータ管理センターが前記水質情報に基づいて判断して返した、前記フィルターエレメントを取り替える必要があるか否かの判断結果を受信するステップと、
前記判断結果が前記フィルターエレメントを取り替える必要があることであると、ユーザーに前記フィルターエレメントを取り替えるようにリマインドするステップとを含む。
【００３０】
本発明の実施例が提供する技術案は、ユーザーが正しいフィルターエレメントを使用するように確保でき、ユーザーにフィルターエレメントをタイムリーに取り替えるようにリマインドして、浄水装置の浄水品質と使用寿命を保証する。
【００３１】
以上のようなフィルターエレメントの制御方法は更に以下の特徴を含む。前記認証結果に基づいて前記フィルターエレメントを処理するステップは、
前記認証結果が前記フィルターエレメントが間違っていることであると、ユーザーに前記フィルターエレメントを取り替えるようにリマインドするステップを含む。
【００３２】
本発明の実施例が提供する技術案は、ユーザーが正しいフィルターエレメントを使用するように確保でき、ユーザーにフィルターエレメントをタイムリーに取り替えるようにリマインドして、浄水装置の浄水品質と使用寿命を保証する。
【００３３】
以上のようなフィルターエレメントの制御方法は更に以下の特徴を含む。前記認証結果に基づいて前記フィルターエレメントを処理するステップは、
前記認証結果がフィルターエレメントが装着されていないことであると、ユーザーに前記フィルターエレメントの位置を調整するか、或いは、フィルターエレメントを装着するように、リマインドするステップを含む。
【００３４】
本発明の実施例が提供する技術案は、ユーザーが正しいフィルターエレメントを使用するように確保でき、ユーザーにフィルターエレメントをタイムリーに取り替えるようにリマインドして、浄水装置の浄水品質と使用寿命を保証する。
【００３５】
以上の一般的な記述及び以下の詳細な記述は、例示のものに過ぎず、本開示を限定するものではないと理解すべきである。
【図面の簡単な説明】
【００３６】
ここでの図面は、本明細書の一部として、本発明に適切な実施例を示し、明細書と合わせて本発明の原理を解釈する。
【００３７】
【図１】例示的な実施例によって示した浄水システムのブロック図の一つである。
【図２】例示的な実施例によって示した浄水システムのブロック図の一つである。
【図３】例示的な実施例によって示した浄水システムのブロック図の一つである。
【図４】例示的な実施例によって示した浄水システムのブロック図の一つである。
【図５】例示的な実施例によって示した浄水システムのブロック図の一つである。
【図６】例示的な実施例によって示した浄水システムによるフィルターエレメントの制御方法のフローチャートである。
【発明を実施するための形態】
【００３８】
ここで、図面に示された例示的な実施例を詳細に説明する。以下の内容において、図面を言及するとき、特に説明しない限り、異なる図面における同じ数字は同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００３９】
図１は、例示的な実施例によって示した浄水システムのブロック図の一つである。図１を参照すると、浄水システムは、フィルターエレメント１０と、フィルターエレメント識別子装置１１０と、フィルターエレメント識別装置２０と、遠隔操作インターフェース３０とを含む。ここで、フィルターエレメント１０は、当該浄水システムおいての浄水装置に位置している。つまり、当該浄水システムは浄水装置を含み、当該浄水装置はフィルターエレメント１０を含む。フィルターエレメント１０は、水を濾過する。フィルターエレメント識別子装置１１０は、フィルターエレメント１０に配置されて、フィルターエレメント１０に識別子を付ける。フィルターエレメント識別装置２０は、フィルターエレメント識別子装置１１０における識別子情報を読み取る。遠隔操作インターフェース３０は、フィルターエレメント識別装置２０により読み取られた識別子情報をメーカーデータ管理センターに送信する。フィルターエレメント識別装置２０とフィルターエレメント識別子装置１１０との間は無線接続である。フィルターエレメント識別装置２０と遠隔操作インターフェース３０との間は無線接続であってもよく、有線接続であってもよい。
【００４０】
ここで、フィルターエレメント識別子装置１１０は、バーコード或いはリライタブルチップであってもよい。バーコードは、フィルターエレメントのケーシングの表面に貼り付けられてもよく、又は、フィルターエレメントのケーシングに射出成形された識別コードであってもよい。リライタブルチップは、例えば、フィルターエレメントのタイプ、製造メーカー、技術パラメーターなどのような、フィルターエレメントの様々な情報を記録することができる。リライタブルチップは、フィルターエレメントのケーシングに取り付けられてもよく、又は、フィルターエレメントの裏面に貼り付けられてもよい。フィルターエレメント識別子装置１１０における識別子情報は、フィルターエレメントのタイプ、製造メーカー、技術パラメーター等の情報を含んでもよい。
【００４１】
ここで、フィルターエレメント識別装置２０はスキャナーであってもよい。フィルターエレメント識別装置２０は、フィルターエレメントのＩＤを識別できるだけでなく、フィルターエレメントが設定の位置に保持されているか否かを確定することができ、フィルターエレメントが正常に動作できるように確保する。フィルターエレメントがよく取り付けられなかったりフィルターエレメントが抜き出されたりした場合、ユーザーにフィルターエレメントをよく取り付けるようにリマインドする。
【００４２】
ここで、遠隔操作インターフェース３０とメーカーデータ管理センターとの間は無線接続である。当該無線接続は、ＷＩＦＩ接続、ＧＰＲＳ（Ｇｅｎｅｒａｌ  Ｐａｃｋｅｔ  Ｒａｄｉｏ  Ｓｅｒｖｉｃｅ、汎用パケット無線システム）接続、赤外線接続等であってもよい。遠隔操作インターフェース３０とメーカーデータ管理センターとの間のデータ接続はリアルタイム接続であってもよく、毎週接続又は毎月接続であってもよい。接続周期はユーザーの使用習慣によって設定される。
【００４３】
使用する時、フィルターエレメント識別装置２０は、フィルターエレメント識別子装置１１０における識別子情報を読み取り、識別子情報をメーカーデータ管理センターに送信する。メーカーデータ管理センターは、識別子情報から、ユーザーが使用しているフィルターエレメントが間違っているか否かを認証し、ユーザーが使用しているフィルターエレメントが間違っている（例えば、フィルターエレメントと浄水装置のタイプとが合致していない）場合、メーカーは、ユーザーがフィルターエレメントを取り替えるように電話又は携帯電話でユーザーに通知する。このように、ユーザーが正しいフィルターエレメントを使用するように確保でき、浄水装置の浄水品質と使用寿命を保証する。
【００４４】
本実施例に示された浄水システムは、ユーザーが正しいフィルターエレメントを使用するように確保でき、浄水装置の浄水品質と使用寿命を保証する。
【００４５】
図２は、例示的な実施例によって示した浄水システムのブロック図の一つである。図２を参照すると、浄水システムは、フィルターエレメント１０と、フィルターエレメント識別子装置１１０と、フィルターエレメント識別装置２０と、遠隔操作インターフェース３０と、水特性検出装置４０と、制御装置５０とを含む。ここで、フィルターエレメント１０、フィルターエレメント識別子装置１１０、フィルターエレメント識別装置２０及び遠隔操作インターフェース３０の作用は、前述の説明と同じであり、繰り返して説明しない。水特性検出装置４０は、フィルターエレメント１０によって濾過した後の水の特性を検出する。制御装置５０は、水特性検出装置４０と遠隔操作インターフェース３０に接続される。制御装置５０は、水特性検出装置４０の出力情報を保存して処理する。水特性検出装置４０と制御装置５０との間は電気的に接続される。
【００４６】
ここで、遠隔操作インターフェース３０と制御装置５０との両方は、一つのモジュールとして併合されてもよく、二つのお互いに独立したモジュールであってもよい。水特性検出装置４０と制御装置５０両方は一つのモジュールとして併合されてもよく、二つのお互いに独立したモジュールであってもよい。
【００４７】
ここで、水特性検出装置４０は、フィルターエレメント１０と繋がっている水路に配置されてもよい。水特性検出装置４０は、ＴＤＳ（Ｔｏｔａｌ  Ｄｉｓｓｏｌｖｅｄ  Ｓｏｌｉｄｓ、総溶解固形分）検出装置、水温センサー、流量計或いは水圧圧力計等であってもよい。水特性検出装置４０は、フィルターエレメント１０によって濾過した後の水の水質情報、水温情報、水量情報、水圧情報或いは流速情報等の水特性情報を収集する。メーカーデータ管理センターは、水特性検出装置４０を利用して、浄水装置によって浄化された水の水質情報を設定された周期のとおり定期に収集し、水質が水質安全基準を一定時間超えた後、ユーザーがまだフィルターエレメントを取り替えなかった場合、メーカーは、ユーザーがフィルターエレメントを取り替えるように電話或いは携帯電話を通じてユーザーに通知することができる。メーカーデータ管理センターは、水質情報とフィルターエレメントの識別子情報における技術パラメーターに基づいて、フィルターエレメントの残り使用寿命情報を確定することもできる。ユーザーは、フィルターエレメントの残り使用寿命情報に基づいて、タイムリーにフィルターエレメントを取り替えることができ、浄水品質を確保する。
【００４８】
本実施例に示された浄水システムは、ユーザーが正しいフィルターエレメントを使用するように確保できるだけでなく、浄水装置によって浄化された水の水質情報を検出でき、水質情報に基づいて、フィルターエレメントを取り替える必要があるか否かを確定し、ユーザーにフィルターエレメントをタイムリーに取り替えるように促し、浄水装置の浄水品質と使用寿命を保証する。
【００４９】
図３は、例示的な実施例によって示した浄水システムのブロック図の一つである。図３を参照すると、浄水システムは、フィルターエレメント１０と、フィルターエレメント識別子装置１１０と、フィルターエレメント識別装置２０と、遠隔操作インターフェース３０と、水特性検出装置４０と、制御装置５０と、表示装置６０とを含む。ここで、フィルターエレメント１０、フィルターエレメント識別子装置１１０、フィルターエレメント識別装置２０、遠隔操作インターフェース３０、水特性検出装置４０及び制御装置５０の作用は、前述の説明と同じであり、繰り返して説明しない。表示装置６０は制御装置５０に接続される。表示装置６０はフィルターエレメント１０の使用状態を表示する。
【００５０】
表示装置６０は、ユーザーに、例えば、フィルターエレメントが間違っていること、フィルターエレメントの取り付けられてないこと（その時、フィルターエレメントがよく取り付けられなかったりフィルターエレメントが抜き出されたことが故になる可能がある）、フィルターエレメントの残り使用寿命、等のようなフィルターエレメント１０の使用状態をリマインドする。
【００５１】
本実施例に示された浄水システムは、ユーザーが正しいフィルターエレメントを使用するように確保でき、浄水装置によって浄化された水の水質情報を検出でき、水質情報に基づいて、フィルターエレメントを取り替える必要があるか否かを確定し、フィルターエレメントの使用状態情報をユーザーに直観的に展示し、ユーザーにフィルターエレメントをタイムリーに取り替えるように促し、浄水装置の浄水品質と使用寿命を保証する。
【００５２】
図４は、例示的な実施例によって示した浄水システムのブロック図の一つである。図４を参照すると、浄水システムは、浄水装置７０と、フィルターエレメント１０と、フィルターエレメント識別子装置１１０と、フィルターエレメント識別装置２０と、遠隔操作インターフェース３０と、水特性検出装置４０と、制御装置５０と、表示装置６０とを含む。フィルターエレメント１０、フィルターエレメント識別子装置１１０、フィルターエレメント識別装置２０、遠隔操作インターフェース３０、水特性検出装置４０、制御装置５０および表示装置６０のすべては浄水装置７０に配置されている。ここで、フィルターエレメント識別子装置１１０は浄水装置７０におけるフィルターエレメント１０に配置され、フィルターエレメント識別装置２０、遠隔操作インターフェース３０、水特性検出装置４０、制御装置５０および表示装置６０は浄水装置７０に配置されている。
【００５３】
本実施例に示された浄水システムは、ユーザーが正しいフィルターエレメントを使用するように確保でき、浄水装置によって浄化された水の水質情報を検出でき、水質情報に基づいて、フィルターエレメントを取り替える必要があるか否かを確定し、フィルターエレメントの使用状態情報をユーザーに直観的に展示し、ユーザーにフィルターエレメントをタイムリーに取り替えるように促し、浄水装置の浄水品質と使用寿命を保証する。
【００５４】
図５は、例示的な実施例によって示した浄水システムのブロック図の一つである。図５を参照すると、浄水システムは、浄水装置７０と、中継装置８０と、フィルターエレメント１０と、フィルターエレメント識別子装置１１０と、フィルターエレメント識別装置２０と、遠隔操作インターフェース３０と、水特性検出装置４０と、制御装置５０と、表示装置６０とを含む。ここで、フィルターエレメント識別子装置１１０は浄水装置７０におけるフィルターエレメント１０に配置され、水特性検出装置４０は浄水装置７０に配置され、フィルターエレメント識別装置２０、遠隔操作インターフェース３０、制御装置５０および表示装置６０は中継装置８０に配置されている。
【００５５】
中継装置８０は移動可能な装置であってもよい。中継装置８０は独立して配置されてもよく、浄水装置７０に設置されてもよい。中継装置８０は浄水装置の内部に隠れて配置されてもよく、ユーザーの家庭中の任意の位置に独立して配置されてもよい。
【００５６】
浄水装置７０と中継装置８０との間は、有線接続であってもよく、例えば、ＷＩＦＩ接続、ＧＰＲＳ接続、赤外線接続等のような無線接続であってもよい。中継装置の使用によって、ユーザーが浄水装置から遠く離れても浄水装置の状況を知ることができる。例えば、浄水装置が台所に配置され、中継装置が応接間のある位置に配置されている場合、ユーザーは応接間に位置しても現在の浄水装置の状況をはっきり把握することができ、台所へ走って浄水装置の状況を調べる必要もなく、より便利で、人の操作習慣に合うようになる。同時に、このように、中継装置に対しての台所の油煙式汚染を減らすことができ、中継装置の信頼性と信号の安全性を高めることができ、使用寿命を延ばすことができる。
【００５７】
本発明の実施例において、フィルターエレメント識別装置２０、遠隔操作インターフェース３０、制御装置５０と表示装置６０のいずれかも中継装置８０に配置されてもよく、浄水装置７０に配置されてもよい。
【００５８】
本実施例に示された浄水システムは、ユーザーが浄水装置から遠く離れた場合フィルターエレメントの使用状態の情報を知るのに便利であり、ユーザーにフィルターエレメントをタイムリーに取り替えるようにリマインドするだけでなく、浄水装置の浄水品質と使用寿命を保証し、ユーザーに使用上の便宜を図る。
【００５９】
以下、例を挙げて、本発明の浄水システムに基づいて、どのようにフィルターエレメントを制御するかを説明する。
【００６０】
フィルターエレメント識別装置２０は、フィルターエレメント識別子装置１１０における識別子情報を読み取って、当該識別子情報を遠隔操作インターフェース３０に伝送する。
【００６１】
遠隔操作インターフェース３０は、当該識別子情報をメーカーデータ管理センターに伝送し、メーカーデータ管理センターの認証結果が、フィルターエレメントが浄水装置のタイプに合致するフィルターエレメントでない場合、遠隔操作インターフェース３０に「フィルターエレメントが間違っている」との認証結果を戻す。
【００６２】
遠隔操作インターフェース３０は、「フィルターエレメントが間違っている」との認証結果を受信した後、制御装置５０を介して表示装置６０に伝送し、表示装置６０は「フィルターエレメントが間違っている」との認証結果をユーザーに表示する。
【００６３】
ユーザーが「フィルターエレメントが間違っている」との認証結果を見た後、正しいフィルターエレメントに取り替える。
【００６４】
フィルターエレメント識別装置２０は、取り替えた後のフィルターエレメント上のフィルターエレメント識別子装置１１０においての識別子情報を読み取って、当該識別子情報を遠隔操作インターフェース３０に伝送する。
【００６５】
遠隔操作インターフェース３０は、当該識別子情報をメーカーデータ管理センターに伝送し、メーカーデータ管理センターの認証結果がフィルターエレメントが正しいということである場合、遠隔操作インターフェース３０に「フィルターエレメントが正しい」との認証結果を戻す。
【００６６】
遠隔操作インターフェース３０は、「フィルターエレメントが正しい」との認証結果を受信した後、制御装置５０を介して表示装置６０に伝送し、表示装置６０は「フィルターエレメントが正しい」との認証結果をユーザーに表示し、同時に、制御装置５０は水特性検出装置４０が水質情報を検出するように水特性検出装置４０に通知する。
【００６７】
水特性検出装置４０は、検出された水質情報を制御装置５０を介して遠隔操作インターフェース３０に伝送し、遠隔操作インターフェース３０は当該水質情報をメーカーデータ管理センターに伝送し、メーカーデータ管理センターは、水質情報と取り替えた後のフィルターエレメントの識別子情報における技術パラメーターに基づいて、当該取り替えた後のフィルターエレメントの残りの使用寿命を確定し、当該残り使用寿命情報を遠隔操作インターフェース３０へ戻す。
【００６８】
遠隔操作インターフェース３０は、当該残り使用寿命情報を制御装置５０を介して表示装置６０に伝送し、表示装置６０は取り替えた後のフィルターエレメントの残り使用寿命情報をユーザーに表示する。
【００６９】
図６は、例示的な実施例によって示した浄水システムによるフィルターエレメントの制御方法のフローチャートである。図６に示されたように、浄水システムによるフィルターエレメントの制御方法は、浄水システム（本発明により開示された浄水システムを意味する）に適用され、当該方法は以下のステップを含む。
【００７０】
ステップＳ６０１において、浄水装置のフィルターエレメントの識別子情報を取得する。
【００７１】
ここで、識別子情報はフィルターエレメントのタイプ、製造メーカー、技術パラメーター等の情報を含んでもよい。
【００７２】
ステップＳ６０２において、識別子情報を浄水装置のメーカーデータ管理センターに伝送する。
【００７３】
ステップＳ６０３において、メーカーデータ管理センターから返した、識別子情報に対する認証結果を受信する。
【００７４】
ステップＳ６０４において、認証結果に基づいて、フィルターエレメントを処理する。
【００７５】
ここで、認証結果に基づいて、フィルターエレメントを処理するステップは、以下のようないくつの状況を含む。
【００７６】
第１の状況は以下のようである。認証結果がフィルターエレメントが間違っていないことであると、当該フィルターエレメントによって濾過された後の水の水質情報を取得してメーカーデータ管理センターに伝送する。メーカーデータ管理センターから返した当該フィルターエレメントの残り使用寿命情報を受信し、当該フィルターエレメントの残り使用寿命情報は、メーカーデータ管理センターが水質情報と識別子情報に含まれた技術パラメーターに基づいて確定するものである。これに基づいて、フィルターエレメントの残り使用寿命情報をユーザーに表示してもよい。
【００７７】
第２の状況は以下のようである。認証結果がフィルターエレメントが間違っていないことであると、当該フィルターエレメントによって濾過された後の水の水質情報を取得してメーカーデータ管理センターに伝送する。メーカーデータ管理センターから返した、当該フィルターエレメントを取り替える必要があるか否かの判断結果を受信し、その判断結果はメーカーデータ管理センターが水質情報に基づいて判断して得たものである。判断した結果がフィルターエレメントを取り替える必要があることであると、ユーザーにフィルターエレメントを取り替えるようにリマインドする。
【００７８】
第３の状況は以下のようである。認証結果がフィルターエレメントが間違っていることであると、ユーザーにフィルターエレメントを取り替えるようにリマインドする。例えば、ユーザーが誤って元の浄水装置のタイプに合致していないフィルターエレメントを使った場合、フィルターエレメントの間違っている情報を表示し、ユーザーにフィルターエレメントを取り替えるようにリマインドして、フィルターエレメントの寿命を保証して浄水装置が浄水の効果に達するように確保する。
【００７９】
第４の状況は以下のようである。認証結果がフィルターエレメントが装着されていないことであると、ユーザーにフィルターエレメントの位置を調整したりフィルターエレメントを取り付けたりするようにリマインドする。フィルターエレメントがよく取り付けられなかったりフィルターエレメントが抜き出されたりした場合、フィルターエレメントが取り付けられていないと見られてしまい、ユーザーは提示情報に基づいて、フィルターエレメントの位置を調整することで、フィルターエレメントが正しい取り付け位置に位置するようにして、フィルターエレメントが正常に動作できるように保証する。
【００８０】
本実施例に示された浄水システムによるフィルターエレメントの制御方法は、ユーザーが正しいフィルターエレメントを使用するように確保でき、ユーザーにフィルターエレメントをタイムリーに取り替えるようにリマインドして、浄水装置の浄水品質と使用寿命を保証する。
【００８１】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【００８２】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
0006582047.tif 000002
【図２】
0006582047.tif 000003
【図３】
0006582047.tif 000004
【図４】
0006582047.tif 000005
【図５】
0006582047.tif 000006
【図６】
0006582047.tif 000007